(57)【要約】【課題】光ビームの出射方向の調整が簡単な受音器を提供する。【解決手段】集音フード外側に位置する、この集音フードを支持する把持部内に、集音フードの内部に向けて光ビームを出射する光源を配置し、この光源からの光ビームを集音フードの開口から出射する方向に反射する反射部材を、集音フードの内壁面に近接した位置に取り付けた。【選択図】        図３
2004333390.tif 000002
【特許請求の範囲】
【請求項１】
一端に開口を有する回転面形状の音反射内壁が形成された集音フードと、
前記集音フード内に受音面が位置すると共に該受音面が前記開口の方向を向くように配置された、該集音フードにより集音された音を検出するセンサと、
前記集音フード外側に位置し該集音フードを支持する、手で把持される把持部と、
前記把持部内に配置され、前記集音フードの内部に向けて光ビームを出射する光源と、
前記集音フードの音反射内壁に近接して配備され該集音フードに取り付けられた、前記光ビームを前記開口から出射する方向に反射する反射部材とを備えたことを特徴とする受音器。
【請求項２】
前記反射部材は、前記光ビームが、前記開口から、前記集音フードの音反射内壁の回転面形状の回転軸の延びる方向と平行に出射されるように、該光ビームの反射方向を調節する調節機構を備えたものであることを特徴とする請求項１記載の受音器。
【請求項３】
前記センサは、可聴周波数帯域を超えた超音波を受音するセンサであることを特徴とする請求項１記載の受音器。
【請求項４】
前記把持部は、押下している間だけ前記光ビームを出射させる押ボタンを備えたものであることを特徴とする請求項１記載の受音システム。
【請求項５】
前記センサにより得られた受音信号のパワーに応じた表示を行なう表示部を備えたことを特徴とする請求項１記載の受音器。
【請求項６】
前記センサにより得られた受音信号のパワーに応じた可聴音を発する発音部を備えたことを特徴とする請求項１記載の受音器。
【発明の詳細な説明】
【０００１】
【発明の属する技術分野】
本発明は、音響を受音するセンサを、音響を集音するフード内に備え、センサで受音した音響に応じた信号を出力する受音器に関する。
【０００２】
【従来の技術】
従来より、鉄鋼、自動車、石油、化学工場等の製造設備に使用されるポンプ、タービン、モーター、コンプレッサ等の機械設備の診断手法として音響法が広く知られている。ところが、音響法は、センサとして一般的にマイクロホンを使用するため、工場周囲の環境騒音あるいは隣接する機械装置の作動音等の影響を受け易いことから、目的とする被検査装置からの発生音を選択的に精度よく捕捉することが困難であり、このような騒音の影響を軽減するため、回転放物面形状の内壁を有する受音フード内に、マイクロフォンが、その受音面を受音フードの内壁の頂点側に向けた状態に保持された受音器が開示されている（例えば、特許文献１参照。）。
【０００３】
図１は、そのような受音器の、回転放物面の回転軸を含む断面図である。
【０００４】
この受音器１１０は、集音フード１１１、コンデンサマイクロフォン１１２、支持具１１３、および、集音フード内の上記頂点側に配置された吸音材１１４を備えている。集音フード１１１の内壁１１１ａは回転放物面形状をなし、開口１１１ｂから集音フード１１１に入射した音を反射し、焦点Ｆないしその近傍に受音する役割を担っている。また、回転放物面の頂点には、コンデンサマイクロフォン１１２を挿入するための孔１１１ｃが穿設されており、コンデンサマイクロフォン１１２は、その受音面１１２ａを開口１１１ｂ側に向けて、その受音面１１２ａが集音フード１１１の焦点Ｆの近傍に位置するように孔１１１ｃに挿入されている。さらに、集音フード１１１は、コンデンサマイクロフォン１１２が周囲環境騒音を受音しないように、焦点Ｆが集音フード１１１の内壁１１１ａに囲まれた空間内に位置するようにその形状が定められ、集音フード内の頂点側に配置された吸音材により、音波どうしの干渉による音響検出精度の低下の防止が図られている。また、集音フード１１１の外壁には、孔１１１ｃに挿入されたコンデンサマイクロフォン１１２を支持する支持具１１３が固定されている。
【０００５】
さらに、図１に示す受音器１１０には、集音フード内の頂点側に備えられたコンデンサマイクロフォン１１２の近傍に光ビーム発生器であるレーザポインタ１１５が備えられている。
【０００６】
このレーザポインタ１１５は、集音フード１１１の開口１１１ｂを適切に発音源である検査対象に向ける指針としてのレーザビームを出射するためのものであり、このレーザビームを検査対象に照射することで集音フードが適切に検査対象に向けられるように、集音フード内の頂点側に調整されて配置されている。尚、図１に示す受音器１１０は、集音フードの外側に、人が把持するための持ち手が取り付けられて使用され、また、このレーザポインタを、配管からの気体の微量な洩れを検出する超音波漏洩検出装置において漏洩箇所を指し示すために利用する提案もなされている（特許文献２参照。）。
【０００７】
ところで、このレーザポインタなど、指向性を有する光ビームを出射する光源には個体差がある。
【０００８】
図２は、レーザポインタからのレーザビームの出射の様子を示す図である。
【０００９】
図２には、レーザビームを、その光軸とはズレた方向に出射しているレーザポインタの一例が示されている。図２に示すズレは、レーザポインタなどの光ビーム発生装置では、個体によって異なるおそれがある。
【００１０】
【特許文献１】
特開平１０−４２３８５号公報
【特許文献２】
特開２００１−３０５００５号公報
【００１１】
【発明が解決しようとする課題】
したがって、上記受音器のように遠方までの漏洩箇所を特定出来る能力を有する受音器においては、レーザポインタとコンデンサマイクロフォンとが共に集音フード内の頂点側に備えられていると、例えば、レーザポインタの交換の際に必要となる、その個体個体に合わせた調整を行うための機構が設け難いためにその調整も困難になりかねないという問題がある。
【００１２】
本発明は、上記事情を鑑み、光ビームの出射方向の調整が簡単な受音器を提供することを目的とする。
【００１３】
【課題を解決するための手段】
上記目的を達成するための本発明の受音器は、
一端に開口を有する回転面形状の音反射内壁が形成された集音フードと、
前記集音フード内に受音面が位置すると共に該受音面が前記開口の方向を向くように配置された、該集音フードにより集音された音を検出するセンサと、
前記集音フード外側に位置し該集音フードを支持する、手で把持される把持部と、
前記把持部内に配置され、前記集音フードの内部に向けて光ビームを出射する光源と、
前記集音フードの音反射内壁に近接して配備され該集音フードに取り付けられた、前記光ビームを前記開口から出射する方向に反射する反射部材とを備えたことを特徴とする。
【００１４】
本発明の受音器では、光源が、集音フードを支持する把持部内部に配置されており、この把持部内部に配置された光源から出射された光ビームは、集音フードの音反射内壁面に近接して配備された反射部材で一旦反射された後、集音フードの開口を経て検査対象側に照射される。つまり、本発明の受音器では、光源が集音フードの内部から把持部に移動したことにより、従来よりも、光ビームの出射方向の調整を行うための調整機構の配設が容易となり、これにより、光ビームの方向の調整も簡単に行なうことができる。
【００１５】
ここで、前記反射部材は、前記光ビームが、前記開口から、前記集音フードの音反射内壁の回転面形状の回転軸の延びる方向と平行に出射されるように、該光ビームの反射方向を調節する調節機構を備えたものであることが好ましい。
【００１６】
光源から出射される光ビームの出射方向は個体によって多少異なるため、その違いは、検査対象との距離が離れれば離れるほど重大な問題となる。したがって、反射部材に、このような調節機構が備えると、光ビームの出射方向の調節をさらに簡単にすることができる。
【００１７】
また、前記センサは、可聴周波数帯域を超えた超音波を受音するセンサであってもよく、前記把持部は、押下している間だけ前記光ビームを出射させる押ボタンを備えたものであってもよく、前記センサにより得られた受音信号のパワーに応じた表示を行なう表示部を備えたものであってもよい。
【００１８】
また、前記センサにより得られた受音信号のパワーに応じた可聴音を発する発音部を備えることが好ましい。
【００１９】
このようにすると、受音信号に応じた音をヘッドフォンなどで聴くことができる。
【００２０】
【発明の実施の形態】
以下、本発明の実施形態について説明する。
【００２１】
図３は、本発明の受音器の一実施形態の概略断面図である。
【００２２】
図３に示す、本実施形態の受音器１は、集音部１０、集音部１０の外側下面に取り付けられた持ち手部２０、超音波センサ部３０、レーザポインタ５０、および、処理部４０で構成された、ガスなどの気体の、容器からの漏洩を音響で検出するためのものである。尚、この受音器１では、この気体の漏洩を音響で検出するために超音波センサが使用されている。
【００２３】
レーザポインタ５０は、レーザビームを出力する光源であり、後述する持ち手部２０の内部に収納されている。
【００２４】
持ち手部２０は、レーザビームを出力するレーザポインタ５０を収納するための円筒形状の収納スペース２０ａ、このレーザポインタ５０のオンおよびオフを操作するためのトリガ２１を嵌め込むためのトリガスペース２０ｃとが設けられている。この持ち手部２０の下端付近には、持ち手部内に収納されたレーザポインタの収納スペース内での位置決めに使用される、詳しくは後述するプランジャネジ６０が、これらプランジャネジと螺合するネジ溝を有するネジ孔２０ｂに上下２段で螺合されている。これら上下２段のプランジャネジ６０の先端には、バネの付勢によって進退自在のボールが備えられており、これらが、収納スペース２０ａに突出し、レーザーポインタに設けられた受け部に嵌め込まれ留事で、収納スペース内でのレーザポインタの位置決めが行われている。
【００２５】
超音波センサ部３０は、外部に露出した部分である本体３１と、集音フード内に位置する超音波センサ３２からなる。
【００２６】
集音部１０は、集音フード１１と反射部材１２とからなり、この集音フード１１は、一端に開口１１ａを有する回転面形状の音反射内壁が形成されたものであり、この開口１１ａと反対側の奥側には、超音波センサ３２を挿通するためのセンサ孔１１ｂが中央に設けられているほか、持ち手部２０が取り付けられた部分には、持ち手部内に収納されたレーザポインタ５０から出射されるレーザビームを通過させるためのビーム孔１１ｃが設けられている。反射部材１２は、持ち手内に収納されたレーザポインタ５０から出射されたレーザビームを集音フード１１の開口１１ａの方向に向かわせるためのものであり、詳細は後述する。
【００２７】
処理部４０は、集音フード１１の上側外部に取り付けられており、ここでは、受信した超音波に応じて超音波センサ部３０から出力される出力信号の処理が行われる。
【００２８】
図４は、図３に示す受音器を、集音フードの開口側から見た場合の図である。
【００２９】
図４には、集音部１０と持ち手部２０とが示されており、集音部１０の集音フード１１の、中央に超音波センサ３２、上側に反射部材１２、および下側にビーム孔１１ｃが示されている。また、持ち手部２０には、トリガ２１が示されている。このトリガ部分の構造の詳細についても後述する。尚、図４に示す持ち手部２０の下端付近には、詳しくは後述するが、レーザポインタの使用態様を確認するための覗き孔２２が設けられている。
【００３０】
図５は、集音フードの上部に取り付けられた処理部を上側から見た場合の図である。
【００３１】
図５には、本体４１と表示パネル４２とからなる処理部４０が示されており、詳しくは後述するが、この処理部４０には、超音波センサ３２によって受音され、その受音した超音波に応じた信号が本体４１を通じて送信されてくる。処理部４０では、この送信されてくる信号に基づいて表示パネル４２に音圧値などを表示する。
【００３２】
本体４１には、側面に２つのコネクタと、上面に操作パネルが備えられており、これら２つのコネクタのうち集音フードの開口に近い方が、パソコン等の外部機器に超音波センサ３２で受音した超音波に基づく信号を送信するための第１コネクタ４１ａ、もう一方が、ヘッドホーンに超音波センサ３２で受音した超音波に基づく信号を送信するための第２コネクタ４１ｂである。また、タッチパネル４１ｃは、ヘッドホーンの音量調節、超聴音波センサ部３０の本体３１に内蔵されたセンサアンプ（図６参照）３１１のゲイン調整などのために操作される。
【００３３】
図６は、超音波センサ部の内部ブロック図である。
【００３４】
図６には、超音波センサ部３０を構成する、超音波センサ３２が左側に、本体３１が右側に示されており、右側に示される本体３１は、センサアンプ３１１、操作パネル３１２、不揮発性メモリ３１３、レベル検出回路３１４、検出音発生回路３１５、シリアルＩ／Ｆ３１６、および表示パネル４２で構成されている。
【００３５】
センサアンプ３１１は、超音波センサ３２から送信されてくる信号の増幅等の処理が行なわれており、処理のレベルが、操作パネル３１２からの指示によって変更可能となっている。レベル検出回路３１４では、センサアンプ３１１から送信されてくる信号から信号レベルの検出が行われる、検出されたレベル値は、不揮発性メモリ３１３、シリアルＩ／Ｆ３１６、および表示パネル３１７に送信される。不揮発性メモリ３１３に送信されたレベル値は、操作パネル３１２からの指示に応じて記憶され、シリアルＩ／Ｆ３１６に送信されたレベル値は、前述の第１コネクタ４１ａを通じてパソコンなどの外部機器に送信される。また、表示パネル３１７に送信されたレベル値は、操作パネル３１２からの指示に応じて態様で表示パネルにおいて表示される。レベル検出回路経由で検出音発生回路３１５に送信されてきた信号は、ここで周波数などの変調処理がなされた後、第２コネクタ４１ｂを通じてヘッドホーンに送信される。尚、不揮発性メモリ３１３からは、操作パネル３１２からの指示により、記憶されているレベル値データのシリアルＩ／Ｆ３１６への送信可能となっている。
【００３６】
図７は、図３に示す受音器の反射部材の拡大断面図である。尚、これは、図３の断面を図３の奥側から見た場合の図となっている。
【００３７】
図７には、本実施形態の受音器１の反射部材１２を構成する、レーザポインタから出射されたレーザビームＡを集音フード１１の開口方向に反射するミラー１２１ａと、そのミラー１２１ａに固着された板１２１ｂとからなるミラー部１２１、ミラー部１２１が取り付けられたベース部１２２、および、ベース部１２２を集音フード１１の内面に取り付けるための、外周にネジ山を備え留め具１２３とが示されている。
【００３８】
図８は、ベース部とミラー部との接合状態を示す図である。
【００３９】
図８（ａ）には、ミラー１２１ａの裏面に、フレキシブルな板１２１ｂがミラー１２１ａからはみ出すように固着されている様子が示されており、また、ベース部１２２が、第１ベース１２２ａと第２ベース１２２ｂとこれらを接合するネジ１２２ｃとで構成されており、第１ベース１２２ａには、このネジ１２２ｃを挿通させるとともにこのネジの頭を表面から突起させないようにするための形状を有する貫通孔１２２１ａと、留め具１２３と螺合するためのネジ溝を有する第１ネジ孔１２２２ａとが設けられている様子が示されている。また、ここには、第２ベース１２２ｂに、第１ベース１２２ａを貫通してきたネジ１２２ｃと螺合する第２ネジ孔１２２１ｂが設けられている様子や、この第１ベース１２２ａと第２ベース１２２ｂが、これらの間にミラー１２１ａの裏面に固着された板１２１ｂを挟みながらネジ１２２ｃによって固定されている様子も示されている。
【００４０】
図８（ｂ）には、ベース部とミラー部との接合体を、これらが取り付けられる集音フード内面側から見た場合の図、図８（ｃ）には、この接合体を、集音フード内の中央側から見た場合の図が示されている。
【００４１】
本実施形態では、ミラー１２１ａは、ベース部１２２に、多少の自由度を有した状態で取り付けられており、このような状態でミラー１２１ａが取り付けられているベース１２２は、図７に示すように留め具１２３によって集音フードの内面側に取り付けられている。
【００４２】
図７に示す留め具１２３は、本体部１２３ａと、その中心に備えられたネジ溝を有するネジ孔に螺合される詳しくは後述する調整ネジ１２３ｂとで構成されている。
【００４３】
図９は、留め具の正面図および断面図である。尚、ここでは、図７に示すネジの図示は省略されている。
【００４４】
図９（ａ）には、図７に示される留め具１２３の本体部１２３ａを図７の上方側から見た場合の図が示されており、図９（ｂ）には、この本体部１２３ａの断面が示されている。
【００４５】
本実施形態の留め具１２３は、２つの機能を有するものであり、その１つは、ベースを集音フード内面に取り付ける機能であり、もう１つは、ベースに取り付けられているミラーのベースに対する角度、即ちレーザポインタから出射されたレーザビームの反射方向を変更する機能である。
【００４６】
図９（ｂ）に示される本体部の中心には、内壁にネジ溝が形成されたネジ孔１２３１ａとこのネジ孔１２３１ａよりも直径の長い貫通孔１２３２ａとが備えられているほか、この本体部１２３ａの外周には、ネジ溝が形成されている部分１２３３ａと６角形に形成された部分１２３４ａとがある。
【００４７】
本実施形態の留め具１２３は、まず、集音フードの表面側から内部に向かって、ネジ溝が形成されている部分１２３３ａを集音フード１１に設けられた取り付け孔１１ｄ（図７参照）に挿通し、この集音フード越しに第１ベース１２２ａに設けられた第１ネジ孔１２２２ａで螺合される。これにより、ベース部１２２およびミラー部１２１は、集音フードの内面に取り付けられたこととなる。次に、留め具１２３の中央に備えられているネジ溝１２３１ａに調整ネジ１２３ｂが螺合され、その調整ネジ１２３ｂを集音フード１１の内部へと進ませるように回転させていくと、その調整ネジ１２３ｂの全長はその留め具１２３の中心に備えられたネジ孔１２３１ａの全長よりも長いために、調整ネジの先端でミラー１２１ａの裏側に固着された板１２１ｂを押圧し、図７に示すように、ミラー１２１ａを第１ベース１２２ａから多少起きあがった状態にすることができる。本実施形態では、このように、留め具１２３の調整ネジ１２３ｂを回転させ、その先端をどれだけ第１べース１２２ａから飛び出させるかを調整することで、ミラー１２１ａの角度の変更を行なっている。
【００４８】
次に、レーザービームを上述のミラー１２１ａに向けて出射するレーザポインタの、持ち手部の内部における配置について説明する。
【００４９】
図１０は、本実施形態の受音器の持ち手部の拡大断面図の一部である。
【００５０】
図１０には、図３に示す、本実施形態の受音器の断面を図３の奥側から見た場合の持ち手部２０のうちのトリガ部分が示されている。また、図１０には、持ち手部内にレーザポインタ５０が配置されている様子も示されている。
【００５１】
図１０にも示すように、本実施形態において使用されているレーザポインタ５０には、レーザ光を出射するために押下される出射ボタン５１が設けられており、上記トリガは、レーザポインタ５０のその出射ボタン５１を持ち手部越しに操作するためものであり、人が左右いずれかの手でその持ち手部２０を握った場合に、丁度、人差し指が触れると思われる位置に備えられている。
【００５２】
図１０に示すトリガ２１は、指によって押下されると持ち手部内の所定の位置から内部側に移動する筐体と、指によって押下された後、指を離するとこの筐体を所定の位置まで押し戻すバネ２３と、持ち手部内での筐体の姿勢を安定させるための安定化ネジ５４とで構成されており、図１１には、トリガ２１の構成要素である筐体２１ａが図示されている。
【００５３】
図１１は、トリガの構成要素の１つである筐体を示す図である。
【００５４】
図１１（ａ）には筐体２１ａの上面から見た場合、図１１（ｂ）には筐体２１ａの縦断面が示されており、図１１（ａ）および１１（ｂ）には、それぞれレーザポインタ５０を挿通するための挿通孔２１１ａが備えられている。また、１１（ｂ）には、前述したバネ２３が縮装されるスペース２１１ｂと上記安定化ネジ５４が螺合されるネジ孔２１１ｃとが備えられている様子も示されている。
【００５５】
次に、本実施形態の光源であるレーザポインタ５０について説明する。
【００５６】
図１２は、持ち手部内部に収納されるレーザポインタを示す図である。
【００５７】
図１２には、レーザポインタ５０をいくつかの方向から見た場合の図が示されており、レーザポインタ５０の、図１２における上端には、レーザビームを出射する出射部５２が備えられており、図１２における下端には、詳しく後述するが、このレーザポインタ５０持ち手部内で回転させる場合や持ち手部内から引き抜く際に指などを引っかける為のリング５３が備えられている。また、図１２に示すレーザポインタ５０のくびれ部分５０ａには、Ｘマークが記されたシール５０２ａと赤色のシール５０１ａとが隣り合わせに貼付されている。
【００５８】
図１２（ａ）には、前述した出射ボタン５１が正面に位置する方向から見た場合の図が示されており、この場合においては、レーザポインタ５０のくびれ部分５０ａのうち、赤色のシール５０１ａが貼付されている箇所の端部がわずかに確認できる。
【００５９】
図１２（ｂ）には、レーザポインタ５０を、図１２（ａ）に示す状態から９０°左旋回させた場合が示されており、この場合には、レーザポインタ５０のくびれ部分５０ａのうち、赤色のシール５０１ａが貼られた箇所が正面に位置すると共に、赤色のシール５０１ａが貼られた箇所の右隣にはＸマークが記されたシールが付された箇所が確認できる。
【００６０】
図１２（ｃ）には、レーザポインタ５０を、図１２（ａ）に示す状態から１８０°左旋回または右旋回させた場合が示されており、この場合には、レーザポインタ５０のくびれ部分５０ａのうち、赤色のシール５０１ａが貼付された箇所の端部とＸマークが記されたシール５０２ａが貼られた箇所とが確認できる。
【００６１】
また、図１２（ｃ）には、くびれ部分５０ａの上方に、２カ所の半球状の窪み５０１ｂ、５０２ｂが設けられた円環部５０ｂが示されている他、その円還部５０ｂに上方にＶ字型に溝が掘られた溝部分５０ｃが示されている。
【００６２】
レーザポインタ５０の持ち手部内への配置は、以下のようにして行なわれている。
【００６３】
持ち手部２０の内部へ、レーザポインタ５０を挿入していくと、前述したように持ち手部２０の下端近くに、上下２段でネジ止めされているプランジャネジ６０の先端に備えられた、バネで付勢されたボールが、上記２カ所の窪み５０１ａ、５０２ｂのうちのいずれかと、Ｖ字型の溝部分５０ｃとにそれぞれ嵌め込まれる。プランジャネジの先端のボールがＶ字型の溝部分５０ｃに嵌め込まれることで、レーザポインタ５０の持ち手内部での上下方向についての位置決めが完了する。
【００６４】
図１３は、プランジャネジの断面図を示す図である。
【００６５】
図１３（ａ）には、プランジャネジ６０の断面図が示されており、このプランジャネジ６０は、外周にネジ溝が設けられた筐体６０ａ、筐体内部に一方の端部が固着されたバネ６０ｂ、および、このバネ６０ｂの他端側に位置し、このバネの付勢を受けるボール６０ｃで構成されている。図１３（ｂ）には、プランジャネジ６０を、ボール６０ｃ側とは反対の方向から見た場合の図であり、ここには、このプランジャネジ６０を持ち手部の下端近くに備えられた、このプランジャネジ６０が螺合されるネジ孔２０ｂに螺合する際にドライバの先端を差し込むための直線溝６０１ａが設けられている様子が示されている。
【００６６】
ここで、図１２（ａ）に示すレーザポインタ５０の出射ボタン５１が図１０に示す状態、即ちトリガ２１を押下することで出射ボタン５１を押下することができる状態にある時は覗き窓２２（図４参照）から、くびれ部５０ａに貼られた赤色シール５０１ａが視認できるようになっている。尚、この場合には、下段側のプランジャネジ６０のボール６０ｃがレーザポインタ５０の円還部５０ｂに設けられた窪みのうちの左側の窪み５０１ｂに嵌め込まれている状態である。
【００６７】
本実施形態では、レーザポインタ５０を、トリガ２１を押下してもレーザビームの出射が行われないような状態に置くことができ、それは、レーザポインタ５０の下端に備えられたリング５３でもって旋回させ、下段側のプランジャネジ６０のボール６０ｃを、図１２（ｃ）に示す、レーザポインタの円還部５０ｂに設けられた窪みのうちの右側の窪み５０２ｂに嵌め込ませることで実現できる。尚、この場合、覗き窓２２には、Ｘマークが記されたシールが視認できることとなる。
【００６８】
以上説明したように、本実施形態の受音器１では、レーザポインタ５０が、集音フード１１を支持する持ち手部内部に配置されており、この持ち手部内部に配置されたレーザポインタ５０から出射された光ビームは、集音フード１１の内壁面に取り付けられた反射部材１２で一旦反射された後、集音フード１１の開口を経て検査対象側に照射される。したがって、本実施形態の受音器１によれば、レーザポインタ５０を集音フード内部から外部の持ち手部２０に移設し、反射部材に調節機構を備えたことで、従来よりもレーザビームの出射方向の調節を簡単に行うことができる。
【００６９】
尚、本実施形態では、持ち手部内にレーザポインタ５０を配設し、反射部材１２に設けられた調節機構によってレーザビームの出射方向が調節している場合を例に挙げたが、本発明では、これが、反射部材が調節機構を持たない固定的に反射をおこなうものであって、把持部内に、その反射部材への出射方向を変更する機構を備えたものであってよい。
【００７０】
【発明の効果】
以上説明したように、本発明の受音器によれば、光ビームの出射方向の調整を簡単に行うことができる。また、特に遠距離にある漏洩検知ができる受音性能を有する受音器において遠距離にある気体などの漏洩箇所を正確に把握できるので、広範囲の漏洩点検が可能になり、特に高所や危険箇所に近づくことなく設備の点検ができることとなる。
【図面の簡単な説明】
【図１】受音器の、回転放物面の回転軸を含む断面図である。
【図２】レーザポインタからのレーザビームの出射の様子を示す図である。
【図３】本発明の受音器の一実施形態の概略断面図である。
【図４】図３に示す受音器を、集音フードの開口側から見た場合の図である
【図５】集音フードの上部に取り付けられた処理部を上側から見た場合の図である。
【図６】超音波センサ部の内部ブロック図である。
【図７】図３に示す受音器の反射部材の拡大断面図である。
【図８】ベース部とミラー部との接合状態を示す図である。
【図９】留め具の正面図および断面図である。
【図１０】本実施形態の受音器の持ち手部の拡大断面図の一部である。
【図１１】トリガの構成要素の１つである筐体の断面図である。
【図１２】持ち手部内部に収納されるレーザポインタを示す図である。
【図１３】プランジャネジの断面図を示す図である。
【符号の説明】
１、１１０  受音器
１０  集音部
１１集音フード
１１ａ  開口
１１ｂ  センサ孔
１２  反射部材
１２１  ミラー部
１２１ａ  ミラー
１２１ｂ  板
１２２  ベース部
１２２ａ  第１ベース
１２２１ａ  貫通孔
１２２２ａ  第１ネジ孔
１２２ｂ  第２ベース
１２２ｃ  ネジ
１２３  留め具
１２３ａ  本体部
１２３ｂ  調整ネジ
１２３１ａ  ネジ孔
１２３２ａ  貫通孔
１２３３ａ、１２３４ａ  部分
２０  持ち手部
２０ａ  収納スペース
２０ｂ  ネジ孔
２０ｃ  トリガスペース
２１  トリガ
２１ａ  筐体
２１１ａ  挿通孔
２１１ｂ  スペース
２１１ｃ  ネジ孔
２２  覗き窓
２３    バネ
２４  安定化ネジ
３０  超音波センサ部
３１  本体
３１１  センサアンプ
３１２  操作パネル
３１３  不揮発性メモリ
３１４  レベル検出回路
３１５  検出音発生回路
３１６  シリアルＩ／Ｆ
３２  超音波センサ
４０  処理部
４１  本体
４１ａ  第１コネクタ
４１ｂ  第２コネクタ
４１ｃ  操作パネル
４２  表示パネル
５０  レーザポインタ
５０ａ  くびれ部分
５０１ａ  赤色のシール
５０２ａ  Ｘマークが記されたシール
５０ｂ  円還部
５０１ｂ、５０２ｂ  窪み
５０ｃ  溝部分
５１  出射ボタン
５２  出射部
５３  リング
６０  プランジャネジ
６０ａ  筐体
６０ｂ  バネ
６０ｃ  ボール
６０１ａ  直線溝
１１１  集音フード
１１１ａ  内壁
１１１ｂ  開口
１１１ｃ  孔
１１２  コンデンサマイクロフォン
１１２ａ  受音面
１１３  支持具
１１４  吸音材
１１５  レーザポインタ
【図１】
2004333390.tif 000003
【図２】
2004333390.tif 000004
【図３】
2004333390.tif 000005
【図４】
2004333390.tif 000006
【図５】
2004333390.tif 000007
【図６】
2004333390.tif 000008
【図７】
2004333390.tif 000009
【図８】
2004333390.tif 000010
【図９】
2004333390.tif 000011
【図１０】
2004333390.tif 000012
【図１１】
2004333390.tif 000013
【図１２】
2004333390.tif 000014
【図１３】
2004333390.tif 000015